(57)【要約】【課題】  従来の規格の下で、空間を有効に利用してＨＤＤの設置数を増加する手段を提供する。【解決手段】  サーバーの一側には収容空間が設けられ、収容空間にはリムーバブルケース挿入用のラックが設けられ、ラックにはＨＤＤと対応してそれに電気的に接続するための２個のコネクターが設けられたコンピューター装置。そのうちリムーバブルケースは２個の３．５インチのＨＤＤを階段式に配置することによって２個の３．５インチのＨＤＤを１Ｕサーバーに並置することを可能にする。【選択図】      図３ 
0003115839.tif 000002
【実用新案登録請求の範囲】
【請求項１】
ハードディスクドライブ（ＨＤＤ）が階段式に配置されたコンピューター装置であって、そのうちコンピューター装置はサーバーであり、サーバーの一側には収容空間が設けられ、収容空間にはリムーバブルケース挿入用のラックが設けられ、ラックにはＨＤＤと対応してそれに電気的に接続するための２個のコネクターが設けられ、リムーバブルケースは２個の３．５インチのＨＤＤを階段式に配置することによって２個の３．５インチのＨＤＤを１Ｕサーバーに並置しうることを特徴とするコンピューター装置。
【請求項２】
前記サーバーには２個以上の収容空間が設けられることを特徴とする請求項１記載のコンピューター装置。
【請求項３】
前記リムーバブルケースの先端にはハンドルが設けられることを特徴とする請求項１記載のコンピューター装置。
【請求項４】
ＨＤＤが階段式に配置されたコンピューター装置であって、そのうちコンピューター装置はノートブック型コンピューターであり、ノートブック型コンピューターの一側には収容空間が設けられ、収容空間にはリムーバブルケース挿入用のラックが設けられ、ラックにはＨＤＤと対応してそれに電気的に接続するための２個のコネクターが設けられ、リムーバブルケースは２個のＨＤＤを階段式に配置することによって２個のＨＤＤをノートブック型コンピューターに並置しうることを特徴とするコンピューター装置。
【請求項５】
前記ＨＤＤがマイクロドライブであることを特徴とする請求項４記載のコンピューター装置。
【考案の詳細な説明】
【技術分野】
【０００１】
この考案はサーバーのハードディスクドライブ（ＨＤＤ）の配置に関し、特に複数のＨＤＤが階段式に配置されたコンピューター装置に関する。
【背景技術】
【０００２】
サーバーの規格化とモジュール化の要望に応じ、高さ１．７５インチを１ユニットとする規格は既に決められている。この規格に準拠したサーバーは１Ｕサーバーと呼ばれ、ＨＤＤの高さもそれによって制限される。
【０００３】
従来の技術による１Ｕサーバーはこの高さの制限を受け、３．５インチのＨＤＤを１台しか収容できない。図１を参照する。図１は従来のＨＤＤを収容するリムーバブルケースを表す説明図である。図示のように、従来のサーバーＨＤＤはリムーバブルケースに収容されたままサーバーに設置される。ＨＤＤを更に多く増設するためには、２Ｕ、３Ｕ、４Ｕサーバーが相次いで開発されてきたが、しかしこれらはいずれもＨＤＤを積み重ねるに過ぎず、空間を有効に利用するとは言いがたい。
【０００４】
そのほか、複数のＨＤＤを並列してそれらを仕切る隔板を省略する方法も開発されている。図２を参照する。図２はアメリカ特許第6,768,638号を表す説明図である。当該特許は隔板を省略してＨＤＤの間隔距離を縮めることによって４台のＨＤＤを設置する方法を示している。しかし、この方法を利用しても依然として空間を有効に節約することができない。
【０００５】
前記の問題はノートブック型コンピューターにも存在する。薄型化の要求の下では、ノートブック型コンピューターにおけるＨＤＤの高さも厳しく制限されている。従来の技術では、ノートブック型コンピューターはマイクロドライブを１台しか収容できず、大きな改善の余地を残している。
【考案の開示】
【考案が解決しようとする課題】
【０００６】
この考案は従来の規格の下で、空間を有効に利用してＨＤＤの設置数を増加する手段を提供することを課題とする。
【課題を解決するための手段】
【０００７】
この考案はＨＤＤが階段式に配置されたコンピューター装置を提供する。そのうちコンピューター装置はサーバーであり、サーバーの一側には収容空間が設けられ、収容空間にはリムーバブルケース挿入用のラックが設けられ、ラックにはＨＤＤと対応してそれに電気的に接続するための２個のコネクターが設けられ、リムーバブルケースは２個の３．５インチのＨＤＤを階段式に配置することによって２個の３．５インチのＨＤＤを１Ｕサーバーに並置することを可能にするものである。
【０００８】
この考案は更に、ＨＤＤが階段式に配置された別個のコンピューター装置を提供する。そのうちコンピューター装置はノートブック型コンピューターであり、ノートブック型コンピューターの一側には収容空間が設けられ、収容空間にはリムーバブルケース挿入用のラックが設けられ、ラックにはＨＤＤと対応してそれに電気的に接続するための２個のコネクターが設けられ、リムーバブルケースは２個のＨＤＤを階段式に配置することによって２個のＨＤＤをノートブック型コンピューターに並置することを可能にするものである。
【考案の効果】
【０００９】
この考案はコンピューターにおける既存の空間を有効に利用することによって、１Ｕサーバーに複数のＨＤＤを設置することを可能にするものである。なお、この考案はノートブック型コンピューターにも適用する。更に、この考案は複数のＨＤＤをホットスワップ方式で挿抜することを可能にする。
【考案を実施するための最良の形態】
【００１０】
かかる装置の特徴を詳述するために、具体的な実施例を挙げ、図示を参照にして以下に説明する
【実施例１】
【００１１】
図３を参照する。図３はこの考案によるリムーバブルケースを表す説明図である。ＨＤＤのリムーバブルケース２０は長方形を呈し、その先端にはそれを引き出すためのハンドル２０３が設けられ、なお、その両側には２組のネジ穴セットが設けられる。２台のＨＤＤを階段式にリムーバブルケース２０に設置するためには、第二ネジ穴セット２０２と第一ネジ穴セット２０１は一定の高さの差を呈する。第一ＨＤＤ２１０は第一ネジ穴セット２０１にネジ２０５をねじ込むことによって固定され、第二ＨＤＤ２２０は第二ネジ穴セット２０２にネジ２０５をねじ込むことによって固定される。したがって、第一ＨＤＤ２１０と第二ＨＤＤ２２０もネジ穴セットのそれと同じような高さの差を呈する。第一ＨＤＤ２１０の頂部から第二ＨＤＤ２２０の底部までの高さはサーバー１０の高さを上回らないので、２台のＨＤＤを同時に設置することが可能である。
【００１２】
図４を参照する。図４によれば、サーバー１０はその一側にはリムーバブルケースを収容するための収容空間１００が設けられる。収容空間１００にはラック１０３が設けられ、ラック１０３の底部には第一コネクター１０１と第二コネクター１０２が前後に設けられる。そのうち第二コネクター１０２の位置は第一コネクター１０１より高く、その高さの差は前記第一ＨＤＤ２１０と第二ＨＤＤ２２０との高さの差と一致する。第一コネクター１０１と第二コネクター１０２はそれぞれ第一ＨＤＤの接続ポート２１１と第二ＨＤＤの接続ポート２２１に対応しており、両ＨＤＤに電気的接続を提供する。
【００１３】
具体的には、まず第一ＨＤＤ２１０と第二ＨＤＤ２２０をリムーバブルケース２０に収容し、更にリムーバブル２０をラック１０３に挿し入れる。これによって第一ＨＤＤ２１０と第二ＨＤＤ２２０はそれぞれ第一コネクター１０１と第二コネクター１０２にカップリングされるようになる。その状態について図５を参照する。図５はサーバー１０にリムーバブルケース２０を挿し入れた状態を表す説明図である。
【実施例２】
【００１４】
図６を参照する。図６はノートブック型コンピューターに利用される実施例２を表す説明図である。図４の実施例１と異なるのは、実施例２はマイクロドライブを使用することである。ノートブック型コンピューター３０の一側に設けられる収容空間はリムーバブルケース４０を収容し、リムーバブルケース４０は２台のマイクロドライブ、即ち第一ＨＤＤ４１０と第二ＨＤＤ４２０を収容する。そのうち第一ＨＤＤ４１０の頂部から第二ＨＤＤ４２０の底部までの高さはノートブック型コンピューター３０の高さを上回らない。それ以外、第一ＨＤＤ４１０と第二ＨＤＤ４２０の高さの差及び接続ポートとの接続関係は実施例１と同じである。
【００１５】
具体的には、リムーバブルケース４０をノートブック型コンピューター３０のラック３０３に挿し入れることによって、第一ＨＤＤ４１０と第二ＨＤＤ４２０をラックに設けられるコネクター（図示されない）とカップリングさせることができる。
以上はこの考案に好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録の範囲に属するものとする。
【産業上の利用可能性】
【００１６】
この考案はコンピューターにおける既存の空間を有効に利用することによって、１Ｕサーバーに複数のＨＤＤを設置することを可能にする。なお、この考案はノートブック型コンピューターにも適用する。更に、この考案は複数のＨＤＤをホットスワップ方式で挿抜することを可能にする。
【図面の簡単な説明】
【００１７】
【図１】従来のＨＤＤを収容するリムーバブルケースを表す説明図である。
【図２】アメリカ特許第6,768,638号を表す説明図である。
【図３】この考案によるリムーバブルケースを表す説明図である。
【図４】リムーバブルケース挿入前の状態を表す説明図である。
【図５】サーバーにリムーバブルケースを挿し入れた状態を表す説明図である。
【図６】この考案の実施例２を表す説明図である。
【符号の説明】
【００１８】
１０    サーバー
１００  収容空間
１０１  第一コネクター
１０２  第二コネクター
１０３、３０３  ラック
２０、４０  リムーバブルケース
２０１  第一ネジ穴セット
２０２  第二ネジ穴セット
２０３  ハンドル
２０５  ネジ
２１０、４１０  第一ＨＤＤ
２１１  第一接続ポート
２２０、４２０  第二ＨＤＤ
２２１  第二接続ポート
３０    ノートブック型コンピューター
【図１】
0003115839.tif 000003
【図２】
0003115839.tif 000004
【図３】
0003115839.tif 000005
【図４】
0003115839.tif 000006
【図５】
0003115839.tif 000007
【図６】
0003115839.tif 000008